(57)【要約】【課題】保持金具に同軸ケーブルを安定に固定でき、外部導体と基板のグランドとの導通をとるときの信頼性を向上させた同軸ケーブル固定機構を提供する。【解決手段】円筒スリーブ１の内径と外部導体露出部３ａとのスキマに半田を溶融して円筒スリーブ１と外部導体露出部３ａとを固定し、円筒スリーブ１を２７０度を超える範囲まで覆う保持金具１１を設け、円筒スリーブ１の外周に設けた段差部１ａを挟み込み嵌め込んで保持金具１１に保持固定し、同軸ケーブル８と基板１０とのグランドを導通接続させる。【選択図】      図１
2004214051.tif 000002
【特許請求の範囲】
【請求項１】
同軸ケーブルと、基板のグランドに固定される保持金具とを有し、前記同軸ケーブルは、中間部分の被覆を除去した外部導体露出部と、前記外部導体露出部に挿入され半田により前記外部導体露出部と固定される円筒スリーブとを有し、前記保持金具は、前記円筒スリーブを保持固定することを特徴とする同軸ケーブル固定機構。
【請求項２】
前記円筒スリーブの内径と前記同軸ケーブルの外径とは、スキマ嵌合を有し、前記円筒スリーブの内径と前記外部導体露出部とのスキマに半田を溶融して前記円筒スリーブと前記外部導体露出部とを固定することを特徴とする請求項１記載の同軸ケーブル固定機構。
【請求項３】
前記円筒スリーブは、中央部に前記保持金具の幅より広い段差部を有することを特徴とする請求項１記載の同軸ケーブル固定機構。
【請求項４】
前記円筒スリーブは、９０度以下の曲げ加工形状を有し、前記保持金具は、前記円筒スリーブを複数箇所で保持固定することを特徴とする請求項１記載の同軸ケーブル固定機構。
【請求項５】
前記保持金具は、前記円筒スリーブの曲げ部を挟んだ直線部２箇所で前記円筒スリーブを保持固定することを特徴とする請求項４記載の同軸ケーブル固定機構。
【請求項６】
前記保持金具は、前記円筒スリーブの外径を覆う円弧形状部を有し、前記基板に固定される側と反対側は、円弧の外側折り返し部を有することを特徴とする請求項１記載の同軸ケーブル固定機構。
【請求項７】
前記円弧形状部は、２７０度より大きい角度を有することを特徴とする請求項６記載の同軸ケーブル固定機構。
【請求項８】
前記保持金具は、バネ用金属材料を有することを特徴とする請求項１、４、５、６の何れか１項記載の同軸ケーブル固定機構。
【請求項９】
前記保持金具は、弾性変形力により前記円筒スリーブの外径を保持固定することを特徴とする請求項１、４、５、６の何れか１項記載の同軸ケーブル固定機構。
【請求項１０】
前記外部導体露出部と前記基板のグランドとは、前記円筒スリーブと前記保持金具とを介して導通接続されることを特徴とする請求項１記載の同軸ケーブル固定機構。
【請求項１１】
前記円筒スリーブは、長手方向に長抜き穴を有することを特徴とする請求項１、２、３の何れか１項記載の同軸ケーブル固定機構。
【発明の詳細な説明】
【０００１】
【発明の属する技術分野】
本発明は、同軸ケーブル固定機構に関し、特に、折り畳み式携帯電話に用いられる同軸ケーブル固定機構に関する。
【０００２】
【従来の技術】
近年、携帯電話の普及は、目覚しいものがあり、特に、折り畳み式の携帯電話においては、折り畳みの上部分にはアンテナが配置され、下部分には無線回路の基板が配置され、アンテナと無線回路のＲＦ（Ｒａｄｉｏ  Ｆｒｅｑｕｅｎｃｙ）信号の受け渡しには、同軸ケーブルが用いられているが、一般的に、インピーダンス特性、シールド特性などの無線特性の確保のため、同軸ケーブルの中間部の外部導体を基板のグランド（ＧＮＤ）と導通接続する構成を取っている。
【０００３】
従来この種の同軸ケーブル固定機構に関して、図面を参照して説明する。
【０００４】
図６は、従来の同軸ケーブル固定機構１００を示す斜視図、図７は、図６中の保持金具１１１とカシメ部材１０１との関係を示す断面図である。
【０００５】
図６、図７を参照すると、同軸ケーブル固定機構１００は、同軸ケーブル１０８と、基板１１０のグランド（図示せず）に固定される保持金具１１１とで構成され、同軸ケーブル１０８は、中間部分の被覆を除去して外部導体１０３が露出する個所と、外部導体１０３の露出個所にカシメ工法により固定されるカシメ部材１０１とを備え、保持金具１１１の弾性変形力により、カシメ部材１０１を保持金具１１１内に挟み込んで保持固定し、外部導体１０３と基板１１０のグランド（ＧＮＤ）との導通をとるよう構成される。
【０００６】
同軸ケーブル１０８の外部導体１０３の外周にカシメ部材１０１を取り付けたとき、カシメ部材１０１の仕上がり外形の形状は、円筒形状とはならず、楕円形状、或いは、歪な形状となり、保持金具１１１にカシメ部材１０１を安定に固定できず、振動、衝撃などの外力の影響により、保持金具１１１から外れるケースが生じるという問題がある。
【０００７】
そこで、カシメ部材ではなく、中空円筒状の金属管からなり長手方向に太径部と細径部とを設けたキャップを同軸ケーブルの端部に装着し、同軸ケーブルの外部導体と基板ケースのグランドとを電気的に接続しているものもある（例えば、特許文献１参照。）。
【０００８】
上述の特許文献１に開示の技術は、キャップの太径部の内径と同軸ケーブルの外皮の外径とを略等しく、キャップの細径部の内径と同軸ケーブルの外部導体の外径とを略等しくしているが、キャップを同軸ケーブルの端部に装着するとき、両者の寸法精度のバラツキにより、スキマ嵌合、トマリ嵌合、シマリ嵌合となる３種類のケースが生じ、組み立て工程での生産性の悪さに加え、製造上の歩留まりが悪化するという問題がある。
【０００９】
【特許文献１】
特開平２ー２０１８８３
【００１０】
【発明が解決しようとする課題】
上述のように、従来の、外部導体の外周にカシメ部材を取り付け、カシメ部材を保持金具内に挟み込んで保持固定し、外部導体と基板のグランドとの導通をとる同軸ケーブル固定機構は、カシメ部材の仕上がり外形の形状が楕円形状、或いは、歪な形状となり、保持金具にカシメ部材を安定に固定できず、振動、衝撃などの外力の影響により、保持金具から外れるケースが生じるという課題がある。
【００１１】
また、中空円筒状の金属管に太径部と細径部とを設けたキャップを同軸ケーブルの端部に装着し、同軸ケーブルの外部導体と基板ケースのグランドとを電気的に接続する技術は、同軸ケーブルとキャップとの寸法精度の管理に難点が生じ、キャップを同軸ケーブルの端部に装着する工程における生産性が低下し、また、製造歩留まりが悪化するという課題がある。
【００１２】
本発明の目的は、上記課題を解決し、製造歩留まりの低下を招くことなく、保持金具に同軸ケーブルを安定に固定でき、外部導体と基板のグランドとの導通をとるときの信頼性を向上させた同軸ケーブル固定機構を提供することにある。
【００１３】
【課題を解決するための手段】
本発明の同軸ケーブル固定機構は、同軸ケーブルと、基板のグランドに固定される保持金具とを有し、同軸ケーブルは、中間部分の被覆を除去した外部導体露出部と、外部導体露出部に挿入され半田により外部導体露出部と固定される円筒スリーブとを有し、保持金具は、円筒スリーブを保持固定することを特徴とする。
【００１４】
円筒スリーブの内径と同軸ケーブルの外径とは、スキマ嵌合を有し、円筒スリーブの内径と外部導体露出部とのスキマに半田を溶融して円筒スリーブと外部導体露出部とを固定することを特徴とする。
【００１５】
円筒スリーブは、中央部に保持金具の幅より広い段差部を有することを特徴とする。
【００１６】
円筒スリーブは、９０度以下の曲げ加工形状を有し、保持金具は、円筒スリーブを複数箇所で保持固定することを特徴とする。
【００１７】
保持金具は、円筒スリーブの曲げ部を挟んだ直線部２箇所で円筒スリーブを保持固定することを特徴とする。
【００１８】
保持金具は、円筒スリーブの外径を覆う円弧形状部を有し、基板に固定される側と反対側は、円弧の外側折り返し部を有することを特徴とする。
【００１９】
円弧形状部は、２７０度より大きい角度を有することを特徴とする。
【００２０】
保持金具は、バネ用金属材料を有することを特徴とする。
【００２１】
保持金具は、弾性変形力により円筒スリーブの外径を保持固定することを特徴とする。
【００２２】
外部導体露出部と基板のグランドとは、円筒スリーブと保持金具とを介して導通接続されることを特徴とする。
【００２３】
円筒スリーブは、長手方向に長抜き穴を有することを特徴とする。
【００２４】
【発明の実施の形態】
次に、本発明の同軸ケーブル固定機構の第一の実施の形態について、図面を参照して説明する。
【００２５】
図１は、本発明の同軸ケーブル固定機構２０の第一の実施の形態を示す概略構成斜視図、図２は、図１中の同軸ケーブル８の詳細を示す斜視図、図３は、図２中の円筒スリーブ１の詳細を示す斜視図、図４は、図１中の保持金具１１と円筒スリーブ１との関係を示す断面図である。
【００２６】
図１〜図２を参照すると、同軸ケーブル固定機構２０は、同軸ケーブル８と、基板１０のグランド（図示せず）に固定される保持金具１１とで構成され、同軸ケーブル８は、中心導体５と、中心導体５の外部を覆う絶縁体６と、絶縁体６の外部を網目状に覆う外部導体３と、外部導体３の外部を覆う被膜４と、中間部分の被覆４を除去した外部導体露出部３ａと、外部導体露出部３ａに挿入され半田２により外部導体露出部３ａの外部導体３と固定される円筒スリーブ１とを備え、保持金具１１の弾性変形力により、円筒スリーブ１を保持金具１１内に挟み込んで保持固定し、外部導体３と基板１のグランドとの導通をとるよう構成される。
【００２７】
なお、保持金具１１を基板１０のグランドに固定する方法は、図示しないが、ネジ止め固定、或いは、半田による固定とする。
【００２８】
図３を参照すると、円筒スリーブ１は、中央部に保持金具１１の幅より広い段差部１ａと、長手方向Ｌに抜かれた長抜き穴１ｂとを設けて構成される。
【００２９】
図４を参照すると、保持金具１１は、バネ用金属材料（例えば、ＳＵＰ３などの材料を板金成形後、焼処理を実施）からなり、円筒スリーブ１の外径を覆う円弧形状部を備え、基板１０に固定される側の固定部１１ｂと反対側には円弧の外側折り返し部１１ａが設けられ、円弧形状部は、円筒スリーブ１の半径を超える範囲まで備え、即ち、２７０度より大きい角度を有する構成としている。
【００３０】
次に、上述のように構成された同軸ケーブル固定機構２０の同軸ケーブル８の基板１０への取付動作について、図面を参照して説明する。
【００３１】
図１〜図４を参照すると、同軸ケーブル８の中間部分の被覆４を除去し、露出した外部導体露出部３ａの外部導体３上に円筒スリーブ１を挿入し、外部導体３と円筒スリーブ１との隙間を半田２で固定し、基板１０に設けられグランド（ＧＮＤ）パターンと固定された保持金具１１に円筒スリーブ１の段差部１ａを嵌め込む。
【００３２】
なお、外部導体３と円筒スリーブ１の内径との隙間を半田２で固定する個所は、円筒スリーブ１の両端部に加え、長抜き穴１ｂ部でも半田２で固定することにより、両者間を一層強固に固定することができる。
【００３３】
円筒スリーブ１の内径と同軸ケーブル外径８ａとは、スキマ嵌合をなし、円筒スリーブ１の内径と外部導体露出部３ａとのスキマに半田を溶融して円筒スリーブ１と外部導体露出部３ａとを固定し、円筒スリーブ１の段差部１ａを保持金具１１に嵌め込むことにより、円筒スリーブ１と保持金具１１とを介して外部導体露出部３ａと基板１０とのグランドを導通接続させる。
【００３４】
円筒スリーブ１の段差部１ａの仕上がり外形の寸法精度は、一般に高精度で製作でき、保持金具１１に同軸ケーブル８を安定に固定でき、また、保持金具１１は、バネ用金属材料からなり、円筒スリーブ１の中心（重心）より低い位置（円筒スリーブ１を２７０度を超える範囲）まで覆う構造で、その弾性変形力により、円筒スリーブ１の段差部１ａを挟み込んで保持固定する故、振動、衝撃などの外力の影響により、保持金具１１から外れることを完全に防止している。
【００３５】
次に、本発明の同軸ケーブル固定機構の第二の実施の形態について、図面を参照して説明する。
【００３６】
図５は、本発明の同軸ケーブル固定機構３０の第二の実施の形態を示す概略構成平面図である（なお、第一の実施の形態の同軸ケーブル固定機構２０と同一構成要素は、同一符号で表示する）。
【００３７】
図５を参照すると、同軸ケーブル固定機構３０は、同軸ケーブル８と、基板１３のグランド（図示せず）に固定される保持金具１１とで構成され、同軸ケーブル８は、外部導体３の外部を覆う被膜４と、中間部分の被覆４を除去した外部導体露出部３ａと、外部導体露出部３ａに挿入され半田（図示せず）により外部導体露出部３ａの外部導体３と固定される曲げ円筒スリーブ１８とを備え、２箇所の保持金具１１の各々の弾性変形力により、曲げ円筒スリーブ１８の段差部１８ｂを保持金具１１内に挟み込んで保持固定し、外部導体３と基板１３のグランド（図示せず）との導通をとるよう構成される。
【００３８】
なお、以上説明した如く、第一の実施の形態の同軸ケーブル固定機構２０と異なるのは、円筒スリーブ１の替わりに曲げ円筒スリーブ１８を配置し、保持金具１１を曲げ円筒スリーブ１８の直線部の２箇所で保持固定する点のみであり、異なる点について、以下に説明する。
【００３９】
曲げ円筒スリーブ１８は、９０度以下の曲げ加工形状（円筒スリーブを折り曲げ加工する角度）で形成され、保持金具１１は、曲げ円筒スリーブ１８の曲げ部１８ａを挟んだ直線部の２箇所で曲げ円筒スリーブ１８を保持固定する。
【００４０】
従って、同軸ケーブル８を曲線状にフォーミングする箇所の配線の際に、曲げのフォーミングが正確、且つ、容易にでき、フォーミングする箇所の配線のバラツキに起因する電気特性上の悪影響を防止できることになる。
【００４１】
【発明の効果】
以上説明したように、本発明の同軸ケーブル固定機構は、円筒スリーブの内径と外部導体露出部とのスキマに半田を溶融して円筒スリーブと外部導体露出部とを固定し、円筒スリーブの外周に設けた段差部を保持金具に嵌め込み、同軸ケーブルと基板とのグランドを導通接続させることにより、保持金具に同軸ケーブルを安定に固定でき、同軸ケーブルと基板のグランドとの導通をとるときの信頼性を向上させることができるという効果がある。
【００４２】
また、保持金具は、円筒スリーブを２７０度を超える範囲まで覆い、その弾性変形力により、円筒スリーブの段差部を挟み込んで保持固定する故、振動、衝撃などの外力の影響により、保持金具から外れることを完全に防止できるという効果がある。
【００４３】
さらに、曲げ円筒スリーブを配置し、曲げ円筒スリーブ内に同軸ケーブルを曲線状にフォーミングすることにより、同軸ケーブルのフォーミングが正確、且つ、容易にでき、フォーミングする箇所の配線のバラツキに起因する電気特性上の悪影響を防止できるという効果がある。
【図面の簡単な説明】
【図１】本発明の同軸ケーブル固定機構の第一の実施の形態を示す概略構成斜視図である。
【図２】図１中の同軸ケーブルの詳細を示す斜視図である。
【図３】図２中の円筒スリーブの詳細を示す斜視図である。
【図４】図１中の保持金具と円筒スリーブとの関係を示す断面図である。
【図５】本発明の同軸ケーブル固定機構の第二の実施の形態を示す概略構成平面図である。
【図６】従来の同軸ケーブル固定機構を示す平面図である。
【図７】図６中の保持金具とカシメ部材との関係を示す断面図である。
【符号の説明】
１    円筒スリーブ
１ａ、１８ｂ    段差部
１ｂ    長抜き穴
２    半田
３、１０３    外部導体
３ａ    外部導体露出部
４    被覆
５    中心導体
６    絶縁体
８、１０８    同軸ケーブル
８ａ    同軸ケーブル外径
１０、１３、１１０    基板
１１、１１１    保持金具
１１ａ    外側折り返し部
１１ｂ    固定部
１８    曲げ円筒スリーブ
１８ａ    曲げ部
１０１    カシメ部材
２０、３０、１００    同軸ケーブル固定機構
Ｌ    長手方向
【図１】
2004214051.tif 000003
【図２】
2004214051.tif 000004
【図３】
2004214051.tif 000005
【図４】
2004214051.tif 000006
【図５】
2004214051.tif 000007
【図６】
2004214051.tif 000008
【図７】
2004214051.tif 000009